(57)【要約】【課題】  符号化ストリーム中にエラーなどの欠落が発生した場合でも、デコード処理を破綻させることなく、再生画面の見苦しさを低減する。【解決手段】  ＭＰＥＧ方式にて符号化された動画像データからなる動画像データ列中の訂正不能なエラーを含む画面を含むＧＯＰの画像データをＭＰＥＧ方式に係るＣｏｐｙ  Ｐｉｃｔｕｒｅのデータに置き換える。【選択図】  図４
2005229395.tif 000002
【特許請求の範囲】
【請求項１】
１画面当たりのデータ量が画面間で変化する符号化方式により符号化された複数画面の動画像データからなる動画像データ列を記録媒体から再生する再生手段と、
前記再生手段により再生された動画像データ列中のエラーを訂正するエラー訂正手段と、
前記エラー訂正手段により訂正不能なエラーを含む画面のデータを、前記動画像データ列の復号時に直前の画面と同一の画像を出力するための所定の符号化データに置き換える制御手段とを備える再生装置。
【請求項２】
前記動画像データは、同一画面内のデータのみを用いて符号化する画面内符号化と、参照画面との間の差分データを符号化する画面間符号化とを画面毎に選択的に用いて符号化されており、前記所定の符号化データは前記直前の画面との差分データが０であることを示す符号化データであることを特徴とする請求項１記載の再生装置。
【請求項３】
前記エラー訂正手段は所定量の前記動画像データ列を単位としてエラー訂正処理を行い、前記制御手段は、前記訂正不能なエラーを含む所定量の動画像データを含む所定数の画面のデータを前記所定の符号化データに置き換えることを特徴とする請求項１記載の再生装置。
【請求項４】
前記再生手段により再生された動画像データ列から、前記動画像データを復号するためのタイムスタンプ情報を含むシステムデータを検出する検出手段を備え、前記制御手段は前記訂正不能なエラーを含む所定量の動画像データの前後に前記検出手段により検出されたタイムスタンプ情報に基づいて、前記所定の符号化データに置き換えるべき画面数を決定することを特徴とする請求項３記載の再生装置。
【請求項５】
前記制御手段は、前記訂正不能なエラーを含む所定量の動画像データの前後のシステムデータ間の動画像データを前記所定の符号化データに置き換えることを特徴とする請求項４記載の再生装置。
【請求項６】
前記制御手段は更に、前記所定の符号化データに加え、前記動画像データ列における前記前後のシステムデータ間の動画像データのデータ量と前記所定の符号化データのデータ量との差に相当する無効データを前記システムデータ間の動画像データの代わりに挿入することを特徴とする請求項５記載の再生装置。
【請求項７】
前記システムデータは前記動画像データ列の復号時において用いるバッファメモリ内のデータ量に係るバッファ情報を含み、前記制御手段は前記前後のシステムデータにおける前記タイムスタンプ情報と前記バッファ情報とを用いて前記前後のシステムデータ間の動画像データのデータ量を検出することを特徴とする請求項６記載の再生装置。
【請求項８】
前記動画像データは、同一画面内のデータのみを用いて符号化する画面内符号化と、参照画面との間の差分データを符号化する画面間符号化とを画面毎に選択的に用いて符号化されると共に、ｎ画面毎に前記画面内符号化画面が選択されており、前記制御手段は、前記訂正不能なエラーを含む所定量の動画像データの直前に検出されたタイムスタンプ情報と、前記訂正不能なエラーを含む所定量の動画像データの直後の前記画面内符号化画面の前に検出されたタイムスタンプ情報とに基づいて、前記所定の符号化データに置き換えるべき画面数を決定することを特徴とする請求項４記載の再生装置。
【請求項９】
前記システムデータは前記動画像データ列における所定数の画面毎に多重されていることを特徴とする請求項３記載の再生装置。
【請求項１０】
前記所定量は前記記録媒体上における前記動画像データ列の配置に関連した量であることを特徴とする請求項３記載の再生装置。
【請求項１１】
前記動画像データ列は前記記録媒体上に形成された多数のトラックに記録されており、前記エラー訂正手段は所定数の前記トラックに記録された前記動画像データを単位としてエラー訂正処理を行うことを特徴とする請求項３記載の再生装置。
【請求項１２】
１画面当たりのデータ量が画面間で変化する符号化方式により符号化された複数画面の動画像データに対し、少なくとも前記予測符号化方式された画像データを復号可能な所定数の画面を単位として前記動画像データを復号するためのタイムスタンプ情報を含むシステムデータが多重された動画像データ列を記録媒体上の多数のトラックから再生する再生手段と、
所定数の前記トラックから再生された動画像データ列を単位として、前記再生手段により再生された動画像データ列中のエラーを訂正するエラー訂正手段と、
前記エラー訂正手段により訂正不能なエラーを含む画面の直後の前記システムデータの間に含まれる画面数を検出し、前記検出した画面数の画像データを前記動画像データ列の復号時に直前の画面と同一の画像を出力するための所定の符号化データに置き換える制御手段とを備える再生装置。
【請求項１３】
１画面当たりのデータ量が画面間で変化する予測符号化方式により符号化された複数画面の動画像データに対し、少なくとも前記予測符号化方式された画像データを復号可能な所定数の画面を単位として前記動画像データの復号時に用いるバッファメモリ内のデータ量に係るバッファ情報を含むシステムデータが多重された動画像データ列を記録媒体上から再生する再生手段と、
前記再生手段により再生された動画像データ列中のエラーを訂正するエラー訂正手段と、
前記エラー訂正手段により訂正不能なエラーを含む画面の直前に再生された第１の前記システムデータから前記訂正不能なエラーを含む画面の直後の前記所定数の画面の前に多重された第２の前記システムデータまでの間のデータ量を前記第１のシステムデータにおけるバッファ情報と前記第２のシステムデータにおけるバッファ情報とを用いて検出し、前記検出したデータ量の画像データを所定の符号化データに置き換える制御手段とを備える再生装置。
【請求項１４】
前記動画像データは、同一画面内のデータのみを用いて符号化する画面内符号化と、参照画面との間の差分データを符号化する画面間符号化とを画面毎に選択的に用いて符号化されており、前記所定の符号化データは前記直前の画面との差分データが０であることを示す符号化データと前記検出したデータ量に応じた無効データとを含むことを特徴とする請求項１２記載の再生装置。
【請求項１５】
前記動画像データは、同一画面内のデータのみを用いて符号化する画面内符号化と、参照画面との間の差分データを符号化する画面間符号化とを画面毎に選択的に用いて符号化され、ｎ画面毎に前記画面内符号化画面が選択されており、前期システムデータは少なくとも前記画面内符号化画面の直前に多重されている事を特徴とする請求項１３記載の再生装置。
【請求項１６】
ＭＰＥＧ方式にて符号化された動画像データからなる動画像データ列を入力する入力手段と、
前記入力された動画像データ列中のエラーを訂正するエラー訂正手段と、
前記エラー訂正手段により訂正不能なエラーを含む画面を含むＧＯＰの画像データを前記ＭＰＥＧ方式に係るＣｏｐｙ  Ｐｉｃｔｕｒｅのデータに置き換える制御手段とを備える信号処理装置。
【請求項１７】
前記制御手段は前記訂正不能なエラーを含む画面から次のＧＯＰまでの画像データを全てＣｏｐｙ  Ｐｉｃｔｕｒｅのデータで置き換えることを特徴とする請求項１６記載の信号処理装置。
【請求項１８】
前記動画像データにおけるＧＯＰの先頭を含むｎ画面毎に前記ＭＰＥＧ規格に係るタイムスタンプ情報を含むシステムデータが多重されており、前記制御手段は更に、前記訂正不能なエラーを含む画面の直前に入力された第１の前記システムデータのタイムスタンプ情報と、前記訂正不能なエラーを含む画面の直後のＧＯＰの先頭部分に多重された第２の前記システムデータのタイムスタンプ情報とに基づいて、前記第１のシステムデータから前記第２のシステムデータの間の画面数を検出し、この検出した画面数の前記Ｃｏｐｙ  Ｐｉｃｔｕｒｅのデータを前記第１のシステムデータと第２のシステムデータの間の画像データに置き換えることを特徴とする請求項１６記載の信号処理装置。
【請求項１９】
前記制御手段は、前記動画像データ列における前記第１のシステムデータと前記第２のシステムデータの間のデータ量と前記Ｃｏｐｙ  Ｐｉｃｔｕｒｅデータのデータ量との差に対応した量のＳｔｕｆｆｉｎｇデータを前記第１のシステムデータと第２のシステムデータの間の画像データに置き換えることを特徴とする請求項１８記載の信号処理装置。
【請求項２０】
前記システムデータは更に前記ＭＰＥＧ規格に係るＶＢＶバッファのデータ蓄積時間に関連したＶＢＶ＿Ｄｅｌａｙ情報を含み、前記制御手段は更に、前記第１のシステムデータのＶＢＶ＿Ｄｅｌａｙ情報と前記第２のシステムデータのＶＢＶ＿Ｄｅｌａｙ情報とを用いて前記第１のシステムデータと第２のシステムデータの間のデータ量を検出することを特徴とする請求項１９記載の信号処理装置。
【発明の詳細な説明】
【技術分野】
【０００１】
本発明は再生装置に関し、特に符号化された画像データ中のエラーデータの処理に関する。
【背景技術】
【０００２】
従来、動画像データをＭＰＥＧ等の符号化方式にて符号化し、記録再生する装置が知られており、例えば、特許文献１に記載されている。
【０００３】
この様な従来の記録再生装置において、再生された符号化データが欠落した場合、黒やグレーなど特定色の符号化データに置き換えて出力している。
【特許文献１】特開２００３−４６９４４
【発明の開示】
【発明が解決しようとする課題】
【０００４】
しかしながら、この様な従来の装置では、データが欠落した場合に黒やクレーなどの画面が出力されることになり、ユーザにとって見苦しい画像になってしまう。
【０００５】
また、単に黒やグレーのデータを符号化ストリーム中に挿入しただけでは、ＭＰＥＧの規格であるバッファモデル（ＶＢＶバッファ）の整合がとれず、デコーダにおいてバッファメモリに蓄積されるデータのアンダーフローやオーバーフローによる破綻が発生することが考えられる。
【０００６】
本発明はこの様な問題を解決し、符号化ストリーム中にエラーなどの欠落が発生した場合でも、デコード処理を破綻させることなく、再生画面の見苦しさを低減することを目的とする。
【課題を解決するための手段】
【０００７】
前述の課題を解決するため、本発明においては、１画面当たりのデータ量が画面間で変化する符号化方式により符号化された複数画面の動画像データからなる動画像データ列を記録媒体から再生する再生手段と、前記再生手段により再生された動画像データ列中のエラーを訂正するエラー訂正手段と、前記エラー訂正手段により訂正不能なエラーを含む画面のデータを、前記動画像データ列の復号時に直前の画面と同一の画像を出力するための所定の符号化データに置き換える制御手段とを備える。
【発明の効果】
【０００８】
本発明によれば、エラーデータを含む画面を、直前の画面と同一の画像を出力するための符号化データに置き換えることで、復号時に再生画面の見苦しさを低減することができる。
【発明を実施するための最良の形態】
【０００９】
以下、本発明の実施形態を説明する。
【００１０】
図１は本発明を適用した再生装置１００の構成を示すブロック図である。
【００１１】
図１の装置は、テープＴ上の多数のトラックから、ＭＰＥＧ方式で符号化された動画像ストリームを再生する。ＭＰＥＧ方式では、同一フレーム内の画像データのみを用いて符号化するＩピクチャ、前方のフレームの画像との間で動き補償予測符号化を行うＰピクチャ、及び前後のフレームの画像データを用いて動き補償予測符号化を行うＢピクチャの三つの符号化方式をフレーム毎に所定の順序で切り替えて符号化しており、ＧＯＰと呼ばれる一つのＩピクチャから次のＩピクチャまでの所定数のフレームに符号化されている。また、Ｉピクチャは同一フレームの画像データで符号化を行うのに対し、Ｐ、Ｂピクチャはその参照フレームとの差分データを符号化するため、フレーム毎に符号化データ量が変化する。
【００１２】
本形態では、画像データがほぼ所定のデータレート（数Ｍｂｐｓ）となる様符号化されて記録されている。
【００１３】
図１において、再生部１０１はこの様に記録された符号化画像データを再生し、エラー訂正部１０２に出力する。エラー訂正部１０２は再生されたデータに対して記録時に施されたエラー訂正符号化処理に対応した復号処理を施して再生データ中の伝送エラーを訂正すると共に、訂正不能なエラーが存在した場合、その旨を制御部１０７に出力する。
【００１４】
図２に、テープＴ上のデータのフォーマットを示す。
【００１５】
図２に示した様に、本形態では１６本のトラック単位データをインターリーブ処理した結果に対してエラー訂正符号化処理の演算を行って外符号を付加しており、この１６トラックを一つのＥＣＣユニットと呼ぶ。そして、エラー訂正部１０２はこのＥＣＣユニット単位でエラー訂正復号処理を行う。従って、ＥＣＣユニット単位で訂正不能なエラーが発生し、正しい再生データが欠落することになる。
【００１６】
また、本形態では、ＭＰＥＧ方式で符号化された画像、音声データのほかに、所定数のフレーム毎にシステムデータが挿入されている。このシステムデータとは、テープＴに記録された符号化画像、音声データを編集するためのデータであり、符号化データのＤＴＳとＶＢＶ＿Ｄｅｌａｙ値が含まれている。本形態では、一つのＧＯＰの構成を、Ｉ，Ｂ，Ｂ，Ｐ，Ｂ，Ｂ，Ｐ，Ｂ，Ｂ，Ｐ，Ｂ，Ｂ，Ｐ，Ｂ，Ｂピクチャの順で１５フレームとしており、３フレーム毎にシステムデータを挿入している。つまり、１ＧＯＰ内で、ＩピクチャとＰピクチャの前にそれぞれシステムデータが多重されている。
【００１７】
ＤＴＳ（Ｄｅｃｏｄｉｎｇ  Ｔｉｍｅ  Ｓｔａｍｐ）とは、ＭＰＥＧデータのデコード時の同期を取るためのタイムスタンプであり、デコーダ内の基準時間をカウントするカウンタの値がこのＤＴＳの値に一致したときにデコードを開始する。ＭＰＥＧ２の場合、２７ＭＨｚのシステムクロックをカウントするカウンタの値を基準時間としている。
【００１８】
また、ＶＢＶ＿Ｄｅｌａｙとは、一つのフレームの符号化データが復号時にＭＰＥＧにて規定されたＶＢＶバッファ内にとどまる時間を示している。
【００１９】
図３は図２に示した各トラックに記録されるデータの構成を示している。
【００２０】
図３に示した様に、一つのトラックのデータは０〜１３８までの１３９個のシンクブロックで構成されている。各シンクブロックは、Ｓｙｎｃ、ＩＤ０、ＩＤ１、ＩＤ２、符号化データまたは外符号パリティ、内符号パリティで構成されている。ＩＤ０〜ＩＤ２には、一つのＥＣＣブロック内のトラック位置を示すトラックペア番号及び１トラック内のシンクブロック番号の情報を含む。
【００２１】
図３の外符号パリティは、１６トラック分のデータをインターリーブした結果に対して演算を行って付加されているため、エラー訂正部１０３はこの様な外符号パリティ、内符号パリティを用いて、１６トラック単位でエラー訂正復号処理を行う。
【００２２】
エラー訂正部１０２により訂正処理されたデータはストリームバッファ１０３に書き込まれる。ストリームバッファ１０３はＭＰＥＧにて規定されたデータ量以上の記憶容量を持ち、バッファ管理部１０６は制御部１０７の制御に従ってストリームバッファ１０３に対するデータの書き込み、読み出しその他の処理を制御する。
【００２３】
ストリームバッファ１０６に蓄積された符号化データは、前述のＤＴＳに基づいて決定したタイミングでデコーダ１０４に送られて復号される。復号された画像、音声データは出力部１０５より外部モニタなどに出力される。また、ストリームバッファ１０３に蓄積されたデータは、符号化された状態でＤＩＦ１０８に出力される。ＤＩＦ１０８はＩＥＥＥ１３９４などのデジタルインターフェイスの規格に従って、ストリームバッファ１０３から出力されたＭＰＥＧストリームのデータを伝送路を介して外部のデコーダなどに出力する。
【００２４】
次に、この様な再生装置１００における再生データ中のエラーデータの処理について説明する。以下の説明では、図２の様に符号化データが記録されており、ＥＣＣユニット２のデータがエラー訂正不能である場合について説明する。
【００２５】
図４は制御部１０７による訂正不能なエラーに対する制御動作を示すフローチャートである。
【００２６】
図４において、まず、再生されたＥＣＣユニット内にシステムデータが含まれているか否かを判別する（Ｓ４０１）。図２では、ＥＣＣユニット１〜ＥＣＣユニット３のいずれにもシステムデータが含まれているが、前述の様に、本形態ではフレーム毎にデータ量が変化するように符号化されているため、一つのＥＣＣユニット内に必ずしもシステムデータが含まれるとは限らない。
【００２７】
制御部１０７は、エラー訂正部１０２からエラー検出フラグが出力されておらず、また、バッファ管理部１０６により再生されたＥＣＣユニット中にシステムデータが存在した場合、更に、過去に再生したＥＣＣユニット内でのエラーデータの有無を示すエラーフラグが設定されているか否かを判別する（Ｓ４０２）。ここでエラーフラグが設定されていなかった場合、訂正不能エラーを含むＥＣＣユニットデータが存在しないか、あるいは、後述の如く置き換え処理済みと判断し、バッファ管理部１０６内のシステムデータのバックアップ用メモリに再生されたシステムデータを保存する（Ｓ４０９）。
【００２８】
バッファ管理部１０６は、訂正不能エラーを含むＥＣＣユニットの直前に検出したシステムデータを記憶する第１のメモリ領域と、エラーを含むＥＣＣユニットの直後に再生されたＧＯＰの先頭に多重されたシステムデータとを保存するための第２のメモリ領域とを備えており、Ｓ４０２でエラーフラグがない場合には、システムデータを検出するたびにこの第１のメモリ領域に対して検出したシステムデータを上書きしながら保存する。
【００２９】
図２においては、ＥＣＣユニット０はエラーがなく、システムデータを含むため、このＥＣＣユニット０のシステムデータがまず第１のメモリ領域に保存される。第１のメモリ領域のシステムデータを保存後、Ｓ４０７に進む。
【００３０】
Ｓ４０７では、現在再生中のＥＣＣユニットに訂正不能なエラーが含まれているか否かを判別する。図２のＥＣＣユニット０はエラーが含まれていないので、このまま処理を終了する。
【００３１】
次に、ＥＣＣユニット１のデータの処理を説明する。
【００３２】
ＥＣＣユニット１は訂正不能なエラーを含むため、Ｓ４０１においてシステムデータを検出することができない。そのためＳ４０７に進む。Ｓ４０７では、ＥＣＣユニット１に訂正不能エラーがあるか否かを判別する。ＥＣＣユニット１はエラーが存在するので、Ｓ４０８に進む。Ｓ４０８では、再生されたＥＣＣユニットにエラーがあった旨を示す内部のエラーフラグを設定し、処理を終了する。
【００３３】
次に、ＥＣＣユニット１でエラーが発生後、エラーの無いＥＣＣユニット２を再生したときの処理を説明する。
【００３４】
ＥＣＣユニット２は訂正不能エラーを含まないため、Ｓ４０１においてシステムデータを検出する。次に、エラーフラグを確認し、過去にエラーが発生したＥＣＣユニットが存在したか否かを判別する（Ｓ４０２）。ここではＥＣＣユニット１が訂正不能エラーを含み、エラーフラグが設定されているため、Ｓ４０３に進む。Ｓ４０３では、Ｓ４０１で検出したシステムデータが、ＭＰＥＧストリームにおけるＧＯＰの先頭部分に多重されたシステムデータであるか否かを判別し、ＧＯＰの先頭に多重されたシステムデータであった場合にバッファ管理部１０６の第２のメモリ領域に保存する。（Ｓ４０４）。ここでは、ＥＣＣユニット２のシステムデータがＧＯＰの先頭であるとして、このＥＣＣユニット２のシステムデータを第２のメモリ領域に保存する。
【００３５】
この時点で、バッファ管理部１０６の第１のメモリ領域にはＥＣＣユニット０のシステムデータが保存され、第２のメモリ領域にはＥＣＣユニット２のシステムデータが保存されている。そして、これら二つのシステムデータを用いて、訂正不能なエラーが存在したＥＣＣユニット１のデータ及びその前後のデータに対して以下の様に置き換え処理を施す。そして、エラーフラグをリセットしてＳ４０７に進む。ＥＣＣユニット２は訂正不能エラーを含まないため、Ｓ４０７からそのまま処理を終了する。
【００３６】
図５はＳ４０４の置き換え処理を示すフローチャートである。
【００３７】
前述の様に、本形態では、訂正不能エラーを含むＥＣＣユニットの直前に検出されたシステムデータと、直後に検出されたＧＯＰの先頭部分のシステムデータとをバックアップしている。そのため、これら二つのシステムデータ内のＤＴＳの値の差を求め（Ｓ５０１）、エラーを含むＥＣＣユニットを含む、二つのシステムデータ間のフレーム期間を検出する（Ｓ５０２）。
【００３８】
即ち、システムクロックが２７ＭＨｚであり、３０フレーム／秒のデータを再生する場合、二つのシステムデータ間に含まれるフレーム数は以下の通りとなる。
フレーム数＝エラー前後のＤＴＳの差分／（２７Ｍ／３０）
【００３９】
そして、本形態では、バッファ管理部１０６により、ＭＰＥＧシステムにおいて、直前のデータとの差分が０であることを示すデータ（Ｃｏｐｙ  Ｐｉｃｔｕｒｅ）をここで求めたフレーム数だけ、ストリームバッファ１０３に蓄積されたＥＣＣユニット０のシステムデータ〜ＥＣＣユニット２のシステムデータの間のＭＰＥＧストリームのデータをＣｏｐｙ  Ｐｉｃｔｕｒｅのデータで置き換える。
【００４０】
また、Ｃｏｐｙ  Ｐｉｃｔｕｒｅのデータ自体は差分０を示すＭＰＥＧデータであるため、データ量が非常に少ない。そのため、単にＣｏｐｙ  Ｐｉｃｔｕｒｅのデータを挿入しただけでは、ＶＢＶバッファがアンダーフローしてしまう。
【００４１】
そこで、エラー発生期間のデータ量を以下の通り求め、Ｃｏｐｙ  Ｐｉｃｔｕｒｅのデータを差し引いた量のＳｔｕｆｆｉｎｇデータ（無効データ）を生成して、ストリームバッファ１０３に蓄積されたエラー発生期間中のＭＰＥＧデータと置き換える（Ｓ５０３、Ｓ５０４）。
【００４２】
Ｓｔｕｆｆｉｎｇデータ量は以下の式で求める。
Ｓｔｕｆｆｉｎｇデータ量＝（ＤＴＳの差分／２７Ｍ）＋（エラー発生前のＶＢＶ＿Ｄｅｌａｙ−エラー復帰後のＶＢＶ＿Ｄｅｌａｙ）×記録レート−Ｃｏｐｙ  Ｐｉｃｔｕｒｅのデータ量
【００４３】
この様に、訂正不能なエラーを含むＥＣＣユニットの前後のシステムデータ間をエラー発生期間として、Ｃｏｐｙ  Ｐｉｃｔｕｒｅで置き換え、更に、その前後でＭＰＥＧにて規定されたＶＢＶバッファがアンダーフローしない様にＳｔｕｆｆｉｎｇデータを挿入することで、訂正不能なエラーが発生した場合にも、エラー発生期間の再生画像をその直前の画像のフリーズ画面とすることができる。
【００４４】
また、ＭＰＥＧストリーム中のエラーデータをＣｏｐｙ  Ｐｉｃｔｕｒｅで置き換えているため、ＤＩＦからＭＰＥＧストリームの状態で出力した場合であっても、外部のデコーダにおいて同様にエラー発生期間がフリーズ画面となり、見苦しくなることが無い。
【００４５】
また、図２において、エラー発生期間から復帰後のＥＣＣユニット中には、当然ＰピクチャやＢピクチャのデータが含まれ、これらのＰピクチャやＢピクチャの参照画面のデータがエラーを含むＥＣＣユニット１に含まれていることも考えられる。
【００４６】
そこで、本形態では、訂正不能エラーを含むＥＣＣユニットの後で再生されたシステムデータのうち、ＧＯＰの先頭に多重されているシステムデータまでの間のデータを全てＣｏｐｙ  Ｐｉｃｔｕｒｅで置き換えることで、エラーを含むＥＣＣユニットの後で再生されたＥＣＣユニットのデータが正しく復号できなくなることを防止している。そして、ＭＰＥＧデータは前述の様に、ＧＯＰの先頭はＩピクチャであるため、ＧＯＰの先頭からは正しく復号できることになる。
【００４７】
なお、本形態では、１ＧＯＰ内でＩピクチャ及びＰピクチャの前にそれぞれシステムデータが多重されていたが、これに限らず、ＧＯＰの先頭のＩピクチャの前にシステムデータが多重されている場合にも本発明を適用可能である。
【００４８】
その場合、訂正不能エラーを含むＥＣＣユニットの画像データを含むＧＯＰのデータをＣｏｐｙ  Ｐｉｃｔｕｒｅで置き換えることになり、Ｃｏｐｙ  Ｐｉｃｔｕｒｅの画面数は１ＧＯＰの画面数と等しくなる。
【００４９】
また、前述の実施形態では、テープに記録されたＭＰＥＧストリームを再生する装置に対して本発明を適用した場合について説明したが、これ以外にも、ＭＰＥＧなどのフレーム間でデータ量が変動するような符号化方式にて符号化されたデータの再生処理に対して同様に本発明を適用可能である。
【図面の簡単な説明】
【００５０】
【図１】本発明を適用した再生装置の構成を示す図である。
【図２】テープ上のトラックフォーマットを示す図である。
【図３】各トラックに記録されるデータのフォーナットを示す図である。
【図４】再生処理を示すフローチャートである。
【図５】エラーデータの置き換え処理を示す図である。
【図１】
2005229395.tif 000003
【図２】
2005229395.tif 000004
【図３】
2005229395.tif 000005
【図４】
2005229395.tif 000006
【図５】
2005229395.tif 000007